(57)【要約】【課題】立体画像視聴用眼鏡を使用して立体画像を視聴するテレビにおいて、立体画像と非立体画像の切り替えを自動的に行う。【解決手段】視聴者が立体画像視聴用眼鏡を専用の台座から外したときに、あるいは、視聴者が掛けた立体画像視聴用眼鏡に備えられた画像センサがテレビ画面の動きを検知したときに、あるいは、テレビがカメラを備え、視聴者が立体画像視聴用眼鏡を掛けているとカメラの映像からテレビが判断したときに、あるいは、視聴者が立体画像視聴用眼鏡を掛けるために眼鏡の柄を開いたときに、立体画像を表示可能とする。【選択図】図１
2011217362.tif 000002
【特許請求の範囲】
【請求項１】
立体画像視聴用眼鏡と、前記立体画像視聴用眼鏡を載置するための眼鏡用台座と、前記立体画像視聴用眼鏡を介して視聴するための第一画像表示装置と、からなる画像表示システムであって、
前記眼鏡用台座は、
前記立体画像視聴用眼鏡の載置有無を検知する検知回路と、
検知回路での検知結果が載置なしとの検知結果である場合には立体画像を表示する旨の立体画像表示信号を発信する第一発信回路と、
を有し、
前記第一画像表示装置は、
前記立体画像表示信号を受信するための第一立体画像表示信号受信回路と、
前記第一立体画像表示信号受信回路が前記立体画像表示信号を受信したときには立体画像を表示するための第一立体画像表示回路と、を有する画像表示システム。
【請求項２】
前記立体画像視聴用眼鏡は
前記眼鏡用台座に載置される場合に前記眼鏡用台座と電気的接続をするための第一接続端子と、
第一接続端子に接続された、充電可能な電池と、
を有する液晶シャッター式眼鏡であって、
前記眼鏡用台座はさらに
前記立体画像視聴用眼鏡が載置される場合に前記立体画像視聴用眼鏡の第一接続端子と電気的接続をするための第二接続端子と、
前記第一接続端子と前記第二接続端子が接続されたときには前記電池に充電のための電力を供給する充電回路と、を有し、
前記検知回路は、前記第一接続端子と前記第二接続端子が接続されたときには載置ありと検知するように構成されていることを特徴とする請求項１に記載の画像表示システム。
【請求項３】
立体画像視聴用眼鏡と、前記立体画像視聴用眼鏡を介して視聴するための第二画像表示装置と、からなる画像表示システムであって、
前記立体画像視聴用眼鏡は、
画像センサと、
前記画像センサが撮影した画像が動いている否かを判定する画像動判定回路と、
前記画像動判定回路が動いていると判定した場合には、立体画像を表示する旨の立体画像表示信号を発信する第二発信回路と、を有し、
前記第二画像表示装置は、
前記立体画像表示信号を受信するための第二立体画像表示信号受信回路と、
前記第二立体画像表示信号受信回路が前記立体画像表示信号を受信したときには立体画像を表示するための第二立体画像表示回路と、を有する画像表示システム。
【請求項４】
立体画像視聴用眼鏡と、前記立体画像視聴用眼鏡を介して視聴するための第三画像表示装置と、からなる画像表示システムであって、
前記第三画像表示装置は、
画像センサと、
前記画像センサが撮影した画像中に前記立体画像視聴用眼鏡を識別する情報が含まれるか否かを判定する画像認識回路と、
前記画像認識回路が前記画像中に前記立体画像視聴用眼鏡を識別する情報が含まれると判定した場合には、立体画像を表示するための第三立体画像表示回路と、を有する画像表示システム。
【請求項５】
柄付きの立体画像視聴用眼鏡と、前記立体画像視聴用眼鏡を介して視聴するための第四画像表示装置とからなる画像表示システムであって、
前記柄付き立体画像視聴用眼鏡は、
柄が折り畳まれているか否かを検知するセンサと、
前記センサが柄が折り畳まれていないことを検知した場合には立体画像を表示する旨の立体画像表示信号を発信する第四発信回路と、を有し、
前記第四画像表示装置は
前記立体画像表示信号を受信するための第四立体画像表示信号受信回路と、
前記第四立体画像表示信号受信回路が前記立体画像表示信号を受信したときには立体画像を表示するための第四立体画像表示回路と、
を有する画像表示システム。
【発明の詳細な説明】
【技術分野】
【０００１】
本発明は、専用の眼鏡を使用して視聴可能な立体画像と通常の非立体画像とを選択して表示することのできるテレビにおいて、立体画像と非立体画像の表示の切り換えを自動的に行うための技術に関する。
【背景技術】
【０００２】
左右両眼に視差を生じさせて画像を立体的に見せるいくつかの方式が知られている（このような画像を以下「立体画像」といい、それ以外を「非立体画像」という）。それらのなかには視聴の為に専用の眼鏡を必要とする眼鏡方式とそのような眼鏡を必要としない無眼鏡方式とがある。
眼鏡方式としては、例えば液晶シャッター式眼鏡を使用する方式がある。両眼視差を生じさせるためには、右目には右目用画像を、左目には左目用画像を見せる必要があり、この方式では、テレビ画面に右目用画像と左目用画像とを交互に表示する。視聴者は液晶シャッター式眼鏡を掛けてこれを観るのであるが、液晶シャッター式眼鏡は、モニタ画面に右目用画像が表示されている場合には左目を閉じ、左目用画像が表示されているときには右目を閉じるシャッター動作をモニタ画面における左右画面切替と同期して行う。このような同期は、例えば、テレビが左右画面切替と同期させた同期信号を発信し、液晶シャッター式眼鏡がこの同期信号を受信して、これに合わせてシャッターを開閉することにより実現される。
【０００３】
一方でこのような液晶シャッター式眼鏡は、非立体画像を観るときには不要のものである。液晶シャッター式眼鏡を利用した立体画像が観賞可能なテレビでは、同時に非立体画像も観賞可能なものが多く、立体画像と非立体画像の切り替えを行う場合にあっては、液晶シャッター式眼鏡の着脱のほか、テレビ画面の表示切替も併せて行う必要がある。さらに、シャッター開閉による電力の消耗を防止するために液晶シャッター式眼鏡の電源のオンオフの操作も必要となる。
【０００４】
特許文献１は、このような一連の操作の煩わしさを解消するための液晶シャッター式眼鏡を提案している。特許文献１の液晶シャッター式眼鏡は、ヘッドバンドにより頭部に装着する方式のもので、非立体画像を観る場合にはヘッドバンドを頭部から取り外すことなく眼鏡フレームを顔面上方にはね上げるだけで、液晶シャッターを開閉動作する電源をオフ制御すると共に、テレビを立体画像から非立体画像の再生へと自動的に切換え制御する。
なお、眼鏡を使用する方式には液晶シャッターメガネを使用する方式の他に、偏光フィルム眼鏡を使用するフィルム型パターンリターダ方式がある。この方式では液晶表示パネルに左目イメージと右目イメージがラインバイライン形態で交互に表示される。左目イメージと右目イメージは相互に直交する偏光を通過させる偏光フィルムを通過した後に画面に表示され、視聴者がその画像を相互に直交する偏光フィルムを貼った眼鏡で観賞すると、左目には左眼イメージのみが、右目には右目イメージのみが映って立体的に画像を見る結果となる（特許文献２）。
【先行技術文献】
【特許文献】
【０００５】
【特許文献１】特許第３１７２４０７号
【特許文献２】特開２００９−３０１０３９
【発明の概要】
【発明が解決しようとする課題】
【０００６】
特許文献１の発明は液晶シャッター式眼鏡を外すことなく画面の切り替えができるとする。しかしながら、液晶シャッター式眼鏡は軽量化が進んだとはいえ通常の眼鏡と比べるとはるかに重く、立体画像を観るときでさえその重さが負担として感じられるものである。液晶シャッター式眼鏡が不要な非立体画像を観る場合に特許文献１のような液晶シャッター式眼鏡を頭部にヘッドバンドで装着していることはもっと煩わしく感じられるはずである。もちろん、特許文献１の液晶シャッター式眼鏡も立体画像を観賞しない場合には頭部から外すことは可能である。しかし、その場合には液晶シャッターをはね上げるという動作が意味をなさなくなる。
【０００７】
むしろ、立体画像を観賞しない場合には、液晶シャッター式眼鏡は頭部から取り外すことを前提として立体画像と非立体画像の切り替えを行う方が視聴者にとって快適であり、液晶シャッター式眼鏡の利便性は高くなると考えられる。これはシャッター式眼鏡に限られない。フィルム型パターンリターダ方式の偏光フィルム付眼鏡のように他の眼鏡方式における立体画像視聴用眼鏡においても、立体画像を観賞しない場合には立体画像視聴用眼鏡を頭部から取り外すことを前提として立体画像と非立体画像の切り替えを行う方が視聴者にとって快適であると考えられる。
【課題を解決するための手段】
【０００８】
本願の発明者は、非立体画像を観る場合には立体画像視聴用眼鏡は頭部から取り外すことを前提として、立体画像と非立体画像を自動的に切り替える方式を研究した結果、本願の発明を完成させたものである。
【０００９】
請求項１に記載の第一発明は、立体画像視聴用眼鏡を使用しないときに載置するための台座を備え、立体画像視聴用眼鏡を台座から取り外したときにはテレビの画面が立体画像に切り替わる画像表示システムである。すなわち、第一発明は、立体画像視聴用眼鏡と、この立体画像視聴用眼鏡を載置するための眼鏡用台座と、この立体画像視聴用眼鏡を介して視聴するための第一画像表示装置と、からなる画像表示システムであって、前記眼鏡用台座は、前記立体画像視聴用眼鏡の載置有無を検知する検知回路と、検知回路での検知結果が載置なしとの検知結果である場合には立体画像を表示する旨の立体画像表示信号を発信する第一発信回路と、を有し、前記第一画像表示装置は、前記立体画像表示信号を受信するための第一立体画像表示信号受信回路と、前記第一立体画像表示信号受信回路が前記立体画像表示信号を受信したときには立体画像を表示するための第一立体画像表示回路と、を有する画像表示システムに関する。
【００１０】
請求項２に記載の第二発明は、第一発明の画像表示システムであって、立体画像視聴用眼鏡はシャッター開閉動作の電源となる充電式電池を備え、立体画像視聴用眼鏡を台座に載置したときには台座からの電力供給により電池に充電することのできる画像表示システムである。すなわち、第二発明は、前記立体画像視聴用眼鏡は前記眼鏡用台座に載置される場合に前記眼鏡用台座と電気的接続をするための第一接続端子と、第一接続端子に接続された、充電可能な電池と、を有する液晶シャッター式眼鏡であって、前記眼鏡用台座はさらに前記立体画像視聴用眼鏡が載置される場合に前記立体画像視聴用眼鏡の第一接続端子と電気的接続をするための第二接続端子と、前記第一接続端子と前記第二接続端子が接続されたときには前記電池に充電のための電力を供給する充電回路と、を有し、前記検知回路は、前記第一接続端子と前記第二接続端子が接続されたときには載置ありと検知するように構成されていることを特徴とする請求項１に記載の画像表示システムに関する。
【００１１】
請求項３に記載の第三発明は、立体画像視聴用眼鏡がその前面に画像センサを備え、テレビの視聴者が立体画像視聴用眼鏡を掛けた場合には画像センサがテレビ画面の映像の変化を捉えてテレビの表示を立体画像に切り替える画像表示システムである。すなわち、第三発明は、立体画像視聴用眼鏡と、この立体画像視聴用眼鏡を介して視聴するための第二画像表示装置と、からなる画像表示システムであって、前記立体画像視聴用眼鏡は、画像センサと、前記画像センサが撮影した画像が動いている否かを判定する画像動判定回路と、前記画像動判定回路が動いていると判定した場合には、立体画像を表示する旨の立体画像表示信号を発信する第二発信回路と、を有し、前記第二画像表示装置は、前記立体画像表示信号を受信するための第二立体画像表示信号受信回路と、前記第二立体画像表示信号受信回路が前記立体画像表示信号を受信したときには立体画像を表示するための第二立体画像表示回路と、を有する画像表示システムに関する。
【００１２】
請求項４に記載の第四発明は、テレビが画像センサを備え、画像センサが撮影した映像中に立体画像視聴用眼鏡が映っていると認識した場合にはテレビの表示を立体画像に切り替える画像表示システムである。すなわち、第四発明は、立体画像視聴用眼鏡と、この立体画像視聴用眼鏡を介して視聴するための第三画像表示装置と、からなる画像表示システムであって、前記第三画像表示装置は、画像センサと、前記画像センサが撮影した画像中に前記立体画像視聴用眼鏡を識別する情報が含まれるか否かを判定する画像認識回路と、前記画像認識回路が前記画像中に前記立体画像視聴用眼鏡を識別する情報が含まれると判定した場合には、立体画像を表示するための第三立体画像表示回路と、を有する画像表示システムに関する。
【００１３】
請求項５に記載の第五発明は、立体画像視聴用眼鏡が柄付き眼鏡であって、柄が開かれた場合にはテレビの表示を立体画像に切り替える画像表示システムである。すなわち、第五発明は、柄付きの立体画像視聴用眼鏡と、この立体画像視聴用眼鏡を介して視聴するための第四画像表示装置とからなる画像表示システムであって、前記柄付き立体画像視聴用眼鏡は、柄が折り畳まれているか否かを検知するセンサと、前記センサが柄が折り畳まれていないことを検知した場合には立体画像を表示する旨の立体画像表示信号を発信する第四発信回路と、を有し、前記第四画像表示装置は前記立体画像表示信号を受信するための第四立体画像表示信号受信回路と、前記第四立体画像表示信号受信回路が前記立体画像表示信号を受信したときには立体画像を表示するための第四立体画像表示回路と、を有する画像表示システムに関する。
【発明の効果】
【００１４】
第一発明によれば、立体画像視聴用眼鏡を台座に載置したり台座から取り外すだけで立体画像と非立体画像の切り替えが自動的に行われる画像表示システムが提供される。
【００１５】
第二発明によれば、立体画像視聴用眼鏡を台座に載置するだけで立体画像視聴用眼鏡の充電が自動的に行われ、立体画像視聴用眼鏡を台座に載置したり台座から取り外すだけで立体画像と非立体画像の切り替えが自動的に行われる画像表示システムが提供される。
【００１６】
第三発明又は第四発明によれば、立体画像視聴用眼鏡を掛けてテレビに向かうだけで立体画像と非立体画像の切り替えが自動的に行われる画像表示システムが提供される。
【００１７】
第五発明によれば、立体画像視聴用眼鏡の柄を開いたり折り畳んだりという眼鏡の着脱に付随する動作を自然に行うだけで立体画像と非立体画像の切り替えが自動的に行われる画像表示システムが提供される。
【図面の簡単な説明】
【００１８】
【図１】実施例１の画像表示システムの概念図。
【図２】実施例１の画像表示システムの機能構成図。
【図３Ａ】実施例１の画像表示システムの処理の流れを表すフロー図。
【図３Ｂ】実施例１の画像表示システムで継続型を採用した場合の処理の流れの一例を表すフロー図。
【図４】実施例２の画像表示システムの機能構成図。
【図５】実施例２の第一接続端子及び第二接続端子の例。
【図６】実施例３の画像表示システムの概念図。
【図７】実施例３の画像表示システムの機能構成図。
【図８】実施例３の画像表示システムの処理の流れを表すフロー図。
【図９】実施例４の画像表示システムの概念図。
【図１０】実施例４の画像表示システムの機能構成図。
【図１１】実施例４の画像表示システムの処理の流れを表すフロー図。
【図１２】実施例５の画像表示システムの機能構成図。
【図１３】実施例５の立体画像視聴用眼鏡の柄の接続部の拡大図。
【図１４】実施例５の画像表示システムの処理の流れを表すフロー図。
【発明を実施するための形態】
【００１９】
実施例１は第一発明に関する。実施例２は第二発明に関する。実施例３は第三発明に関する。実施例４は第四発明に関する。実施例５は第五発明に関する。
【実施例１】
【００２０】
<実施例１の概念>
図１は、実施例１の画像表示システムの概念図である。第一画像表示装置０１０３は立体画像と非立体画像のいずれをも表示することが出来るテレビであり、立体画像を観賞しない場合には、立体画像視聴用眼鏡０１０１は眼鏡用台座０１０２に載置するものとされている。立体画像視聴用眼鏡が載置された状態のときにテレビの電源が入っていれば、テレビには非立体画像が表示される。テレビの視聴者が立体画像を観る場合には立体画像視聴用眼鏡を掛ける必要がある。視聴者が立体画像を観ようとして立体画像視聴用眼鏡を眼鏡用台座意から取り外すと、テレビの非立体画像が立体画像に切り替わる。
<実施例１の構成>
【００２１】
図２は、実施例１の画像表示システムの機能構成図である。実施例１の「画像表示システム」０２００は、「立体画像視聴用眼鏡」０２０１と、「眼鏡用台座」０２０２と、「第一画像表示装置」０２０３とを有する。眼鏡用台座は、「検知回路」０２０４と、「第一発信回路」０２０５とを有する。第一画像表示装置は、「第一立体画像表示信号受信回路」０２０６と、「第一立体画像表示回路」０２０７とを有する。
【００２２】
「立体画像視聴用眼鏡」は、「立体画像視聴用」に用いるものである。実施例１の立体画像視聴用眼鏡は、例えば液晶シャッター方式を利用したシャッター式眼鏡であり、テレビ画面との同期はワイヤレスにて行われる。具体的には、テレビから送信される赤外線等の同期信号を受信してこの同期信号とシャッターの開閉を同期させることにより行う。シャッター式眼鏡の液晶シャッター等を動作させるための電源は、乾電池であってもよいし充電可能な電池であってもよい。立体画像視聴用眼鏡はシャッター式眼鏡に限られない。立体画像の表示方式がフィルム型パターンリターダ方式であれば偏光フィルム付眼鏡となるし、アナグリフ方式であれば赤青眼鏡となる。
【００２３】
「眼鏡用台座」は、「立体画像視聴用眼鏡を載置するための」台座である。このような台座は、「クレードル」等の名称で呼ばれ、携帯用電子機器を携帯しないときの収納用具としての機能と、充電やパソコンとのデータの交換や同期の機能とを併せて提供するものとして多用されている。本発明の眼鏡用台座も、立体画像視聴用眼鏡の収納場所を提供するとともに画面切替えの用に供するものである。眼鏡用台座の電源は家庭用電源から直接とっても良いし、第一画像表示装置から供給を受けるものとしてもよい。
【００２４】
「検知回路」は、「前記立体画像視聴用眼鏡の載置有無を検知する。」検知する手段としては、例えば、立体画像視聴用眼鏡が載置される部位にスイッチを設け、立体画像視聴用眼鏡が載置されたときにはその重量によりスイッチが押されることにより検知する方法が考えられる。あるいは、立体画像視聴用眼鏡にマイクロチップを埋め込んでおき、立体画像視聴用眼鏡が台座に載置されたときに台座に設けられたリーダーが立体画像視聴用眼鏡のマイクロチップを読み取って検知するものとしてもよい。あるいは、眼鏡用台座の立体画像視聴用眼鏡が載置される部分に一組の電極を設け、立体画像視聴用眼鏡が載置された際に立体画像視聴用眼鏡に設けられた金属部分にこれらの電極が触れることで電極間に電気が通じて検知されるものとしてもよい。
【００２５】
「第一画像表示装置」は、立体画像を表示可能な表示装置である。立体画像の表示機能を備えたテレビジョンセットは最近家庭用に販売されるようになっている。
【００２６】
「第一発信回路」は、「検知回路での検知結果が載置なしとの検知結果である場合には立体画像を表示する旨の立体画像表示信号を発信する。」そして「第一立体画像表示信号受信回路」は、「前記立体画像表示信号を受信する。」さらに「第一立体画像表示回路」は、「前記第一立体画像表示信号受信回路が前記立体画像表示信号を受信したときには立体画像を表示」可能とする。第一発信回路は、載置ありとの検知結果から載置なしとの検知結果に切り替わった瞬間に立体画像表示信号を発信するものと構成してもよいし（以下、瞬間型という）、載置なしとの検知結果を得ている間継続して画像表示信号を発信するものと構成してもよい（以下、継続型という）。瞬間型の場合には、さらに、載置なしとの検知結果から載置ありとの検知結果に切り替わった瞬間に第一発信回路が非立体画像表示信号を発信するものと構成してもよく、この場合、第一立体画像表示信号受信回路はさらに非立体画像表示信号を受信し、かつ、第一立体画像表示回路は、第一立体画像表示信号受信回路が非立体画像表示信号を受信したときには非立体画像を表示可能に構成する。継続型の場合には、第一立体画像表示回路は、第一立体画像表示信号受信回路が立体画像表示信号を受信しないときには非立体画像を表示可能と構成してもよいし、あるいは、第一発信回路は、載置ありとの検知結果を得ている間は継続して非立体画像表示信号を発信し、かつ、第一立体画像表示信号受信回路は非立体画像表示信号を受信するものと構成したうえで、さらに、第一立体画像表示回路は、第一立体画像表示信号受信回路が非立体画像表示信号を受信したときには非立体画像を表示可能に構成してもよい。
【００２７】
なお、上記の説明で「表示可能」と表現しているのは、立体画像の映像を表示できるのはあるまで立体画像の放送を受信したり立体画像のDVDを視聴したりしている場合に限られ、そのような映像を受信等していないときには立体画像は表示されない趣旨を含めたものである。
立体画像視聴用眼鏡及び眼鏡用台座は、ひとつのテレビに対して複数存在してもよい。この場合、複数ある眼鏡用台座のうちのひとつからでも立体画像表示信号を受信したときには、立体画像を表示可能に構成するとよい。既に説明した非立体画像表示信号を採用する構成の場合にも、ある眼鏡用台座が立体画像表示信号を発信し、他の眼鏡用台座が全て非立体画像表示信号を発信している場合には立体画像を表示可能に構成するとよい。
【００２８】
眼鏡用台座の第一発信回路と第一画像表示装置の第一立体画像表示信号受信回路との通信は、有線通信であると無線通信であると問わない。有線通信には、電波障害の影響を受けにくく通信が安定することや、有線通信の配線と併せて眼鏡用台座がテレビから電力供給を受けるための電力ケーブルを設けることで独立した電源が不要となることなどが利点となる。無線通信には、眼鏡用台座をテレビから離れた場所にも設置できる利点がある。
<実施例１の処理の流れ>
【００２９】
図３Ａは、実施例１の画像表示システムの処理の流れを表すフロー図である。まず、視聴者が立体画像視聴用眼鏡を眼鏡用台座から取り外すと、眼鏡用台座の検知回路が載置なしと検知し（ステップ０３０１）、第一発信回路が立体画像表示信号を発信する（ステップ０３０２）。次に、第一画像表示装置の第一立体画像表示信号受信回路がその立体画像表示信号を受信し（ステップ０３０３）、第一立体画像表示回路が立体画像を表示可能とする（ステップ０３０４）。
図３Ｂは、実施例１の画像表示システムで継続型を採用した場合の処理の流れの一例を表すフロー図である。ステップ０３０１からステップ０３０４までの処理の流れは図３Ａの場合と同様である。但し、ここでの発信は継続的な発信を意味する。視聴者が立体画像視聴用眼鏡を眼鏡用台座へ載置すると、眼鏡用台座の検知回路が載置なしと検知しなくなり（ステップ０３０１）、第一発信回路が立体画像表示信号の発信を停止する（ステップ０３０５）。次に、第一画像表示装置の第一立体画像表示信号受信回路がその立体画像表示信号の受信を停止し（ステップ０３０６）、第一立体画像表示回路が立体画像の表示を停止して非立体画像に切り替わる（ステップ０３０７）。
【００３０】
第一発明によれば、立体画像視聴用眼鏡を台座に載置したり台座から取り外したりするだけで立体画像と非立体画像の切り替えを自動的に行う画像表示システムが提供される。
【実施例２】
【００３１】
<実施例２の概念>
立体画像視聴用眼鏡のなかには独立した電源を必要とするものがある。例えばシャッター式眼鏡は、液晶シャッターを開閉動作させる回路に電気を供給するための電源を必要とし、通常、シャッター式眼鏡に内蔵された乾電池又は充電可能な電池を電源として使用する。第二発明は、第一発明の画像表示システムであって、立体画像視聴用眼鏡は充電式電池を備えた液晶シャッター式眼鏡であって、立体画像視聴用眼鏡を台座に載置したときには台座からの電力供給により前記電池に充電することのできる画像表示システムである。
<実施例２の構成>
【００３２】
図４は、実施例２の画像表示システムの機能構成図である。実施例２の「画像表示システム」０４００は、「立体画像視聴用眼鏡」０４０１と、「眼鏡用台座」０４０２と、「第一画像表示装置」０４０３とを有する。立体画像視聴用眼鏡は「電池」０４０８と、「第一接続端子」０４０９とを有する。眼鏡用台座は、「検知回路」０４０４と、「第一発信回路」０５と、「第二接続端子」０４１０と、「充電回路」０４１１とを有する。第一画像表示装置は、「第一立体画像表示信号受信回路」０４０６と、「第一立体画像表示回路」０４０７とを有する。
【００３３】
実施例２の立体画像視聴用眼鏡は液晶シャッター式眼鏡である。立体画像視聴用眼鏡の「第一接続端子」は、「前記眼鏡用台座に載置される場合に前記眼鏡用台座と電気的接続をするための」接続端子であり、眼鏡用台座の「第二接続端子」は、「前記立体画像視聴用眼鏡が載置される場合に前記立体画像視聴用眼鏡の第一接続端子と電気的接続をするため」の接続端子であり、両者は相互に着脱可能な組合せとする。USBコネクタ等のコンピュータ用接続端子や、RS-232C等の通信用接続端子を使用してもよいし、規格外の接続端子を使用してもよい。
【００３４】
図５は、実施例２の第一接続端子及び第二接続端子の例である。立体画像視聴用眼鏡０５０１の上部中央にはメス型の第一接続端子０５０９が設置されている。また、眼鏡用台座０５０２の上部中央にはオス型の第二接続端子０５１０が設置されている。眼鏡用台座の上部受け皿０５５０には、立体画像視聴用眼鏡を眼鏡用台座に載置したときにこれを安定保持できるようにその外周上に外壁０５５１が形成されている。立体画像視聴用眼鏡が眼鏡用台座に載置されるときには立体画像視聴用眼鏡はその眼鏡フレーム上部及び折り畳まれた柄が前記外壁に包まれるように保持されて載置の位置が定まり、第一接続端子と第二接続端子とはこの位置で円滑に接続されるようにそれぞれ立体画像視聴用眼鏡及び眼鏡用台座に配置される。
【００３５】
「電池」は「充電可能な」電池であり、立体画像視聴用眼鏡に必要な電力を供給する。電池は「第一接続端子に接続」されている。
【００３６】
「充電回路」は「前記第一接続端子と前記第二接続端子が接続されたときには」電池との接続を検知して、電池が充電を必要とする状態にあると判断した場合には充電を開始するとともに充電の制御を行う。充電中、充電回路は「前記電池に充電のための電力を供給する。」電力は、充電回路から、第二接続端子、第一接続端子の順に経由して電池へと供給される。
【００３７】
眼鏡用台座の「前記検知回路」は、「前記第一接続端子と前記第二接続端子が接続されたときには載置ありと検知するように構成」される。
【００３８】
他の構成は、実施例１の画像表示システムと同様である。また、立体画像と非立体画像の切り替えの処理の流れについては、検知の方法が第一接続端子と第二接続端子の接続の有無による点を除けば実施例１と同様である。
【００３９】
実施例２の画像表示システムは、より具体的には、例えば、以下の構成をさらに有する。立体画像視聴用眼鏡は「シャッター式グラス」と、「シャッター制御回路」と、「同期信号受信回路」と、「主電源制御回路」とをさらに有し、第一画像表示装置は「同期信号発信回路」をさらに有する。
【００４０】
立体画像視聴用眼鏡の「シャッター式グラス」は、両眼用に一組用意する。「同期信号受信回路」は第一画像表示装置の同期信号発信回路からの同期信号を受信する。「シャッター制御回路」は、同期信号受信回路が受信した同期信号と同期させて前記一組のシャッター式グラスのシャッターの開閉を制御する。第一画像表示装置の「同期信号発信回路」は、第一立体画像表示回路が立体画像を表示可能とするときには同期信号を発信する。
「主電源制御回路」は同期信号受信回路が同期信号を受信したときには立体画像視聴用眼鏡の主電源をONとする。主電源がONの状態では、電池からの電力がシャッター式グラス及びシャッター制御回路に供給される。同期信号受信回路及び主電源制御回路には常時電力が供給されるように構成する。このように構成することで、第一画像表示装置での立体画像と非立体画像の切り替えに合わせて立体画像視聴用眼鏡の電源の制御も行うことが出来、立体画像視聴用眼鏡の電源操作の煩わしさを回避できるだけでなく、電池を節約することができる。なお、同期信号に変えて立体画像視聴用眼鏡の電源を制御するための特別な信号を使用する構成としてもよい。
【００４１】
実施例２によれば、立体画像視聴用眼鏡を台座に載置したり台座から取り外したりするだけで立体画像と非立体画像の切り替えが自動的に行われ、しかも立体画像視聴用眼鏡の充電が自動的に行われる画像表示システムが提供される。
【実施例３】
【００４２】
<実施例３の概念>
図６は、実施例３の画像表示システムの概念図である。実施例３の画像表示システムでは、立体画像視聴用眼鏡０６０１がその正面に画像センサ０６２２を備える（図６Ａ）。テレビの視聴者が立体画像視聴用眼鏡を掛けてテレビを視聴した場合には立体画像視聴用眼鏡の画像センサがテレビ画面の映像の変化を捉えてテレビの表示を立体画像に切り替える（図６Ｂ）。テレビの視聴者が立体画像視聴用眼鏡を外して置いた場合にはその画像センサの視界からテレビ画面等変化するものがなくなったと判断してテレビの表示を非立体画像に切り替える（図６Ｃ）。なお、画像センサは立体画像視聴用眼鏡の正面に設けられているため裏側からは見えないが、図６Ｂと図６Ｃでは説明のため立体画像視聴用眼鏡の図の中に画像センサを点線にて描いた。
<実施例３の構成>
【００４３】
図７は、実施例３の画像表示システムの機能構成図である。実施例３の「画像表示システム」０７００は、「立体画像視聴用眼鏡」０７０１と、「第二画像表示装置」０７０３とを有する。立体画像視聴用眼鏡は「画像センサ」０７２２と、「画像動判定回路」０７２３と、「第二発信回路」０７０５とを有する。第二画像表示装置は、「第二立体画像表示信号受信回路」０７０６と、「第二立体画像表示回路」０７０７とを有する。
【００４４】
「画像センサ」は画像を電気信号に変換することのできる光電変換素子をいい、ＣＣＤイメージセンサ、ＣＭＯＳイメージセンサ、フォトダイオード等の固体撮像素子がこれに含まれる。
【００４５】
「画像動判定回路」は、「前記画像センサが撮影した画像が動いている否かを判定する。」画像中の被写体が動いているかどうかを判定する技術は監視カメラ等に古くから応用されており、本発明にもこれらを用いることが出来る。具体的には、テレビであると否とにかかわらずただ単に動いているかどうかを判定する方法が第一に考えられる。この場合は、回路は単純とすることが出来る半面、眼鏡を置いた場合であっても、例えば、画像センサの視界にあるカーテンが風で揺れたような場合にも反応してしまうという難点がある。あるいは、動いているものがテレビの画像であるかどうかを判定する方法が第二に考えられる。ここではデジタルカメラの顔認識に使われているような画像認識技術を用いる。あるいは、テレビ画面で表示されている映像と画像センサが撮像した映像の同一性判断により判定する方法が第三に考えられる。シューティングゲームにおいて、銃に備えられた画像センサの撮像した映像が目的とする標的の画像と同一であると判定されたときに加点する技術がここでは利用することが出来る。
【００４６】
「第二発信回路」は、「前記画像動判定回路が動いていると判定した場合には、立体画像を表示する旨の立体画像表示信号を発信する。」また、「第二立体画像表示信号受信回路」は、「前記立体画像表示信号を受信」し、「第二立体画像表示回路」は、「前記第二立体画像表示信号受信回路が前記立体画像表示信号を受信したときには立体画像を表示」可能とする。
立体画像表示信号には、瞬間型や継続型がありうること、立体画像表示信号と併せて非立体画像表示信号を使用してもよいこと、その場合の第二発信回路、第二立体画像表示信号受信回路及び第二立体画像表示回路の構成の仕方については、実施例２の第一発信回路、第一立体画像表示信号受信回路及び第一立体画像表示回路において述べたところと同様である。
また、立体画像の表示方式が液晶シャッター方式である場合に立体画像視聴用眼鏡のシャッターの開閉動作を第二画像表示装置の画像表示に同期させる構成や、第二画像表示装置における立体画像と非立体画像の切り替えと併せて立体画像視聴用眼鏡の電源を制御する構成については実施例２で述べたところと同様である。
<実施例３の処理の流れ>
【００４７】
図８は、実施例３の画像表示システムの処理の流れを表すフロー図である。視聴者が立体画像視聴用眼鏡を掛けてテレビに向かうと、立体画像視聴用眼鏡正面に備えられた画像センサがテレビ画面を撮像して（ステップ０８０１）画像動判定回路が動いていると判定すると（ステップ０８０２）、立体画像視聴用眼鏡の第二発信回路が立体画像表示信号を発信する（ステップ０８０３）。そして、第二画像表示装置の第二立体画像表示信号受信回路が立体画像表示信号を受信し（ステップ０８０４）、第二立体画像表示回路が立体画像を表示可能とする（ステップ０８０５）。
【００４８】
実施例３によれば、立体画像視聴用眼鏡を掛けてあるいは外してテレビに向かうだけで立体画像と非立体画像の切り替えが自動的に行われる画像表示システムが提供される。
【実施例４】
【００４９】
<実施例４の概念>
図９は、実施例４の画像表示システムの概念図である。実施例４の画像表示システムでは、テレビ０９０３がその正面に画像センサ０９２４を備える（図９Ａ）。テレビの視聴者が立体画像視聴用眼鏡を掛けてテレビを視聴した場合には、テレビが立体画像視聴用眼鏡を認識してテレビの表示が立体画像に切り替わる（図９Ｂ）。テレビの視聴者が立体画像視聴用眼鏡を掛けることなくテレビを視聴する場合には、テレビが立体画像視聴用眼鏡を認識することが出来ず、テレビの表示が非立体画像に切り替わる（図９Ｃ）。
<実施例４の構成>
【００５０】
図１０は、実施例４の画像表示システムの機能構成図である。実施例４の「画像表示システム」１０００は、「立体画像視聴用眼鏡」１００１と、「第三画像表示装置」１００３とを有する。第三画像表示装置は、「画像センサ」１０２４と、「画像認識回路」１０２５と、「第三立体画像表示回路」１００７とを有する。
【００５１】
「画像センサ」は実施例３の画像センサと同様である。「画像認識回路」は、「前記画像センサが撮影した画像中に前記立体画像視聴用眼鏡を識別する情報が含まれるか否かを判定する。」「前記立体画像視聴用眼鏡を識別する情報」とは、立体画像視聴用眼鏡の全体又は部分の形状、色彩若しくは光沢、又はそれらの組合せに係る情報であってもよいし、立体画像視聴用眼鏡の前面に附されたバーコード等の符号であってもよい。画像中に特定の種類の被写体、例えば、人の顔等が含まれているかどうかを判定する技術は様々なものが知られており、デジタルカメラ等に応用されている。本発明においても、これら画像認識技術を採用することが出来る。「第三立体画像表示回路」は、「前記画像認識回路が前記画像中に前記立体画像視聴用眼鏡を識別する情報が含まれると判定した場合には、立体画像を表示」する。  画像中に前記立体画像視聴用眼鏡を識別する情報が含まれるか否かの判定は、継続して、あるいは、一定周期ごとに行う。第三立体画像表示回路は、画像認識回路が画像中に立体画像視聴用眼鏡を識別する情報が含まれないと判定した場合には、非立体画像を表示可能とする。
立体画像の表示方式が液晶シャッター方式である場合に立体画像視聴用眼鏡のシャッターの開閉動作を第三画像表示装置の画像表示に同期させる構成や、第三画像表示装置における立体画像と非立体画像の切り替えと併せて立体画像視聴用眼鏡の電源を制御する構成については実施例２で述べたところと同様である。
<実施例４の処理の流れ>
【００５２】
図１１は、実施例４の画像表示システムの処理の流れを表すフロー図である。視聴者が立体画像視聴用眼鏡を掛けてテレビに向かうと、テレビ画面正面に備えられた画像センサが立体画像視聴用眼鏡を掛けた視聴者を撮像する（ステップ１１０１）。そして、立体画像視聴用眼鏡を識別する情報が含まれていると画像認識回路が判定すると（ステップ１１０２）、第三立体画像表示回路が立体画像を表示可能とする（ステップ１１０３）。
【００５３】
実施例４によれば、立体画像視聴用眼鏡を掛けて、あるいは掛けないでテレビに向かうだけで立体画像と非立体画像の切り替えが自動的に行われる画像表示システムが提供される。
【実施例５】
【００５４】
<実施例５の概念>
実施例５の画像表示システムは、立体画像視聴用眼鏡が柄付き眼鏡であって、柄を開いた場合にはテレビの表示を立体画像に切り替え、柄が折り畳まれている場合にはテレビの表示を非立体画像に切り替える画像表示システムである。
<実施例５の構成>
【００５５】
図１２は、実施例５の画像表示システムの機能構成図である。実施例５の「画像表示システム」１２００は、「立体画像視聴用眼鏡」１２０１と、「第四画像表示装置」１２０３とを有する。立体画像視聴用眼鏡は「柄」１２２７と、「センサ」１２２８と、「第四発信回路」１２０５とを有する。第四画像表示装置は、「第四立体画像表示信号受信回路」１２０６と、「第四立体画像表示回路」１２０７とを有する。
【００５６】
「柄」は、立体画像視聴用眼鏡を使用するときに耳に掛けて眼鏡を頭部に固定させるためのもので、蝶番等により立体画像視聴用眼鏡の本体両側に開閉可能に接続される。「センサ」は二つの柄の接続部の少なくとも一に設けられ、「柄が折り畳まれているか否かを検知する。」
【００５７】
図１３は、実施例５の立体画像視聴用眼鏡の柄の接続部の拡大図である。立体画像視聴用眼鏡１３０１に柄１３２７が蝶番を用いて開閉可能に接続されている。図１３は柄が折り畳まれたときの様子を描いており、立体画像視聴用眼鏡の接続部内側の面Ａ１３２９と、柄の接続部内側の面Ｂ１３３０が離れた状態となっている。立体画像の視聴者は立体画像を視聴する際には立体画像視聴用眼鏡の柄を開いてから頭部に掛ける。柄を開いた状態では、前記面Ａと面Ｂが密着することによって柄が必要以上に外側に開かない仕組みとなっている。センサは、例えば、前記面Ａに一組の電極１３５２を設け、面Ｂに設けられた金属板１３５３が両電極に触れることで両電極間に通電して検知する仕組みとする。あるいは、面Ｂにマグネットを装着し、面Ａにはマグネットセンサーを設けることにより、両面が密着した際にマグネットセンサーがマグネットを検知するように構成してもよい。
【００５８】
「第四発信回路」は、「前記センサが柄が折り畳まれていないことを検知した場合には立体画像を表示する旨の立体画像表示信号を発信する。」第四画像表示装置の「第四立体画像表示信号受信回路」は「前記立体画像表示信号を受信」し、「第四立体画像表示回路」は、「立体画像表示信号受信回路が立体画像表示信号を受信したときには立体画像を表示」可能とする。
立体画像表示信号には、瞬間型や継続型がありうること、立体画像表示信号と併せて非立体画像表示信号を使用してもよいこと、その場合の第四発信回路、第四立体画像表示信号受信回路及び第四立体画像表示回路の構成の仕方については、実施例２の第一発信回路、第一立体画像表示信号受信回路及び第一立体画像表示回路において述べたところと同様である。
また、立体画像の表示方式が液晶シャッター方式である場合に立体画像視聴用眼鏡のシャッターの開閉動作を第四画像表示装置の画像表示に同期させる構成や、第四画像表示装置における立体画像と非立体画像の切り替えと併せて立体画像視聴用眼鏡の電源を制御する構成については実施例２で述べたところと同様である。
<実施例５の処理の流れ>
【００５９】
図１４は、実施例５の画像表示システムの処理の流れを表すフロー図である。視聴者が立体画像視聴用眼鏡を掛けるために立体画像視聴用眼鏡の柄を開くと、柄が折り畳まれてないとセンサが検知し（ステップ１４０１）、第四発信回路が立体画像表示信号を発信する（ステップ１４０２）。第四画像表示装置の第四立体画像表示信号受信回路がこの立体画像表示信号を受信し（ステップ１４０３）、第四立体画像表示回路が立体画像を表示可能とする（ステップ１４０４）。
【００６０】
実施例５によれば、立体画像視聴用眼鏡の柄を開いたり折り畳んだりという眼鏡の着脱に付随する動作を自然に行うだけで立体画像と非立体画像の切り替えが自動的に行われる画像表示システムが提供される。
【符号の説明】
【００６１】
０１０１        立体画像視聴用眼鏡
０１０２        眼鏡用台座
０１０３        第一画像表示装置
【図１】
2011217362.tif 000003
【図２】
2011217362.tif 000004
【図３Ａ】
2011217362.tif 000005
【図３Ｂ】
2011217362.tif 000006
【図４】
2011217362.tif 000007
【図５】
2011217362.tif 000008
【図６】
2011217362.tif 000009
【図７】
2011217362.tif 000010
【図８】
2011217362.tif 000011
【図９】
2011217362.tif 000012
【図１０】
2011217362.tif 000013
【図１１】
2011217362.tif 000014
【図１２】
2011217362.tif 000015
【図１３】
2011217362.tif 000016
【図１４】
2011217362.tif 000017
【手続補正書】
【提出日】平成23年7月6日(2011.7.6)
【手続補正１】
【補正対象書類名】特許請求の範囲
【補正対象項目名】全文
【補正方法】変更
【補正の内容】
【特許請求の範囲】
【請求項１】
立体画像視聴用眼鏡と、前記立体画像視聴用眼鏡を載置するための眼鏡用台座と、前記立体画像視聴用眼鏡を介して視聴するための第一画像表示装置と、からなる画像表示システムであって、
前記眼鏡用台座は、
前記立体画像視聴用眼鏡の載置有無を検知する検知回路と、
検知回路での検知結果が載置なしとの検知結果である場合には立体画像を表示する旨の立体画像表示信号を発信する第一発信回路と、
を有し、
前記第一画像表示装置は、
前記立体画像表示信号を受信するための第一立体画像表示信号受信回路と、
前記第一立体画像表示信号受信回路が前記立体画像表示信号を受信したときには立体画像を表示するための第一立体画像表示回路と、を有する画像表示システム。
【請求項２】
前記立体画像視聴用眼鏡は
前記眼鏡用台座に載置される場合に前記眼鏡用台座と電気的接続をするための第一接続端子と、
第一接続端子に接続された、充電可能な電池と、
を有する液晶シャッター式眼鏡であって、
前記眼鏡用台座はさらに
前記立体画像視聴用眼鏡が載置される場合に前記立体画像視聴用眼鏡の第一接続端子と電気的接続をするための第二接続端子と、
前記第一接続端子と前記第二接続端子が接続されたときには前記電池に充電のための電力を供給する充電回路と、を有し、
前記検知回路は、前記第一接続端子と前記第二接続端子が接続されたときには載置あり
と検知するように構成されていることを特徴とする請求項１に記載の画像表示システム。